(57)【要約】【課題】複数の蓋板からなる浴槽蓋を好適に収容できる浴槽蓋の収容構造を提供する。【解決手段】浴槽１８上に置かれて使用される板状の浴槽蓋３０を収容する浴室蓋の収容構造は、浴槽１８が設置された浴室１０ａを囲う壁パネル１１ａと当該壁パネル１１ａと所定の隙間を介して設置される間仕切壁２４とからなる壁部と、壁パネル１１ａ及び間仕切壁２４に形成された開口部１９の周縁部に沿って設けられる額縁４０とを備えており、壁部には、浴槽蓋３０を収容し、かつ額縁４０に形成された開口である入口部４５を通じて当該浴槽蓋３０を出し入れ可能とする収容ユニット５０が設けられている。【選択図】      図１
2015131007.tif 000002
【特許請求の範囲】
【請求項１】
板状の浴槽蓋の収容構造であって、
前記浴槽が設置された浴室を囲う壁部と、
前記壁部に形成された開口の周縁部に沿って設けられる開口枠体と、を備え、
前記壁部には、前記浴槽蓋を収容し、かつ前記開口枠体に形成された入口部を通じて当該浴槽蓋を出し入れ可能とする収容部が設けられていることを特徴とする浴槽蓋の収容構造。
【請求項２】
前記開口は前記浴室の出入口であって、
前記開口枠体は、前記出入口に取り付けられる建具用の額縁である請求項１に記載の浴槽蓋の収容構造。
【請求項３】
前記開口枠体に取り付けられ前記入口部を開閉する開閉部材を備える請求項１又は２に記載の浴槽蓋の収容構造。
【請求項４】
前記入口部における上側の位置に設けられ、前記収容部の内外の通気を可能とする通気部を備える請求項３に記載の浴槽蓋の収容構造。
【請求項５】
前記浴室の隣に脱衣所が設けられた建物において、
前記開口は前記浴室と前記脱衣所を仕切る仕切壁に設けられ、前記仕切壁は前記浴室側の壁板部と前記脱衣所側の壁板部とを有してなり、前記収容部として前記各壁板部の間に扁平状の収容ケースが設けられている請求項１〜４のいずれか１項に記載の浴槽蓋の収容構造。
【請求項６】
前記収容ケース内に収容された前記浴槽蓋の下側面に接触する位置に設けられ、前記浴槽蓋の移動方向に回転するローラを備える請求項５に記載の浴槽蓋の収容構造。
【請求項７】
前記収容ケース内の前記ローラの下側に配置され、前記浴槽蓋から落ちる水を受ける水受けトレイを備える請求項６に記載の浴槽蓋の収容構造。
【請求項８】
前記収容ケースの側面に設けられ、前記収容ケース内の空気を循環させる空気循環手段を備える請求項６又は７に記載の浴槽蓋の収容構造。
【請求項９】
前記収容ケースは、前記壁板部の間から取り出し可能である請求項６〜８のいずれか１項に記載の浴槽蓋の収容構造。
【発明の詳細な説明】
【技術分野】
【０００１】
本発明は、浴槽蓋の収容構造に関するものである。
【背景技術】
【０００２】
浴室において、浴槽に貯められた湯水の温度低下を防止する目的で浴槽蓋が使用される。例えば浴槽蓋は複数の蓋板で構成されており、浴槽に湯水を給湯した状態で入浴しない場合には、各蓋板は浴槽の上に並べて設けられる。入浴時や浴室の非使用時には、浴槽蓋は、各蓋板の厚み方向を重ね合わせた状態で、浴室内の壁面に立て掛けて保持される（例えば特許文献１参照）
【先行技術文献】
【特許文献】
【０００３】
【特許文献１】特開２００６−１４９９０８号公報
【発明の概要】
【発明が解決しようとする課題】
【０００４】
しかし浴槽蓋を浴室壁に立て掛けて保持する構成の場合、入浴時に浴槽蓋に石鹸や水垢等の汚れが付着したり、浴槽蓋が湿気に曝されてカビが発生したりする等が懸念される。また、浴室の壁面に浴槽蓋を立て掛ける場合、近年要望のあるバリアフリー対応の手摺を設置できない課題が生じる。
【０００５】
本発明は、複数の蓋板からなる浴槽蓋を好適に収容できる浴槽蓋の収容構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の浴槽蓋の収容構造は、板状の浴槽蓋の収容構造であって、浴槽が設置された浴室を囲う壁部と、壁部に形成された開口の周縁部に沿って設けられる開口枠体と、を備え、壁部には、浴槽蓋を収容し、かつ開口枠体に形成された入口部を通じて当該浴槽蓋を出し入れ可能とする収容部が設けられていることを特徴とする。
【０００８】
第１の発明によれば、浴槽蓋を、開口枠体の入口部を介して壁部内の収容部に収容できるようにしたことで、浴室の使用時に、浴槽蓋への石鹸等の汚れの付着を回避できる。また、多湿環境である浴室とは異なる空間に浴槽蓋が収容されるため、浴槽蓋の乾燥が促され、湿気に伴うカビ等の発生等を抑えることができる。
【０００９】
第２の発明の浴槽蓋の収容構造は、開口は浴室への出入口であって、開口枠体は、出入口に取り付けられる建具用の額縁であることを特徴とする。
【００１０】
第２の発明によれば、浴室の出入口を形成する額縁（縦額縁部）に、収容部に通じる入口部を形成することで、浴室の使用時、ユーザは容易に浴槽蓋を浴室外に収容できる。
【００１１】
第３の発明の浴槽蓋の収容構造は、開口枠体に取り付けられ入口部を開閉する開閉部材を備えることを特徴とする。
【００１２】
第３の発明によれば、開口枠体に入口部を開閉するための開閉部材を設ける場合、浴槽蓋を出し入れする以外は、開閉部材を閉じた状態とすることで、入口部を隠すことができ、浴槽蓋の出し入れ作業をしない場合の見栄えを向上できる。
【００１３】
第４の発明の浴槽蓋の収容構造は、入口部における上側の位置に設けられ、収容部の内外の通気を可能とする通気部を備えることを特徴とする。
【００１４】
第４の発明によれば、入口部の開閉部材の上側の位置にガラリ等の通気部を設けることで、開閉部材を閉じた状態でも収容部内に収容された浴槽蓋を乾燥状態とすることができる。
【００１５】
第５の発明の浴槽蓋の収容構造は、浴室の隣に脱衣所が設けられた建物において、開口は浴室と脱衣所を仕切る仕切壁に設けられ、仕切壁は浴室側の壁板部と脱衣所側の壁板部とを有してなり、収容部として各壁板部の間に扁平状の収容ケースが設けられていることを特徴とする。
【００１６】
第５の発明によれば、仕切壁における両側の壁板部の間の隙間（デッドスペース）をうまく使って収容部を設けることができる。特に、ユニット式の浴室設備（浴室ユニット）を用いる構成では、建物側の納まりとの関係上、浴室設備の外側に隙間が生じやすいが、この隙間を好適に利用できる。また壁板部の間の隙間に収容ケースを設け、収容ケース内に浴槽蓋を収容する場合、壁板部内を汚すことなく浴室外に浴槽蓋を収容できる。
【００１７】
第６の発明の浴槽蓋の収容構造は、収容ケース内に収容された浴槽蓋の下側面に接触する位置に設けられ、浴槽蓋の移動方向に回転するローラを備えることを特徴とする。
【００１８】
第６の発明によれば、収容ケース内部に浴槽蓋の移動方向に回転するローラを設けることで、浴槽蓋の出し入れ作業に伴う負荷を軽減できる。
【００１９】
第７の発明の浴槽蓋の収容構造は、収容ケース内のローラの下側に配置され、浴槽蓋から落ちる水を受ける水受けトレイを備えることを特徴とする。
【００２０】
第７の発明によれば、浴槽蓋が置かれるローラの下側に水受けトレイを設けることで、浴槽蓋から落下する水滴を水受けトレイで受け止めることができ、壁部の内側、例えば、収容ケースに水滴が落ちることを防止できる。また壁部内の底部に直接水滴が落下することを防止できる。
【００２１】
第８の発明の浴槽蓋の収容構造は、収容ケースの側面に設けられ、収容ケース内の空気を循環させる空気循環手段を備えることを特徴とする。
【００２２】
第８の発明によれば、収容ケースにファン等の空気循環部材を設けることで、収容ケース内の換気が促されて、収容ケース内に収容された浴槽蓋の乾燥を維持することができる。
【００２３】
第９の発明の浴槽蓋の収容構造は、収容ケースは、壁板部の間から取り出し可能であることを特徴とする。
【００２４】
第９の発明によれば、収容ケースを各壁板部の間から取り外し可能とすることで、収容ケースを浴室内に持ち運び込むことが可能となり、浴槽蓋の設置及び収容の作業をよりしやすくできる。
【図面の簡単な説明】
【００２５】
【図１】浴室ユニットの構成を示す平面図。
【図２】浴室ユニットの構成を示す断面図。
【図３】浴室ユニットの構成を示す断面図。
【図４】脱衣所側から見た出入口付近の説明図。
【図５】浴槽蓋収容ユニットの斜視図。
【図６】浴槽蓋収容ユニットの浴槽蓋が収容された状態の図。
【図７】浴槽蓋収容ユニットの変用例の説明図。
【図８】浴槽蓋収容ユニットの変用例の説明図。
【発明を実施するための形態】
【００２６】
以下に浴槽蓋の収容構造の一実施の形態について図面を参照しつつ説明する。本実施形態では、複数の建物ユニットにより構築されるユニット式建物に具体化したものとしており、複数の建物ユニットのうちのいずれかに浴室ユニットを組み付ける構成としている。図１〜図３は浴室ユニット１０の構成図であり、図１は浴室ユニット１０及びその周辺の構成を示す平面図、図２及び図３は浴室ユニット１０の縦断面図である。
【００２７】
浴室ユニット１０は、床面を形成する浴室床パン１３と、浴室床パン１３上において四方を囲むようにして設けられた壁パネル１１ａ〜１１ｄと、壁パネル１１ａ〜１１ｄの上端部に設けられた天井部１２とにより形成された空間である浴室１０ａに、浴槽１８と洗場１７とが横並びに配置されている。浴室ユニット１０（浴室１０ａ）には脱衣所１０ｂが隣接されており、浴室１０ａと脱衣所１０ｂとは後述する間仕切壁２４により互いに仕切られている。
【００２８】
浴室１０ａの四方を囲う壁パネル１１のうち、浴室１０ａと脱衣所１０ｂとの境界側、すなわち間仕切壁２４側に位置する壁パネル１１ａには、浴室ドア１６が配設される開口部１９が形成されている。開口部１９にはドア枠１５が配設されており、ドア枠１５に浴室ドア１６が配設される。浴室ドア１６は、例えば折り戸（２枚折り戸）よりなり、浴室１０ａ側に折り畳まれることで開状態となる。
【００２９】
壁パネル１１ａの浴槽１８側には、把持部が出入口１４側となるようにしてＬ字型の手摺６０が取り付けられている。この手摺６０により、ユーザが浴槽１８に出入りする際に浴槽１８の周囲の立ち壁部１８ｂを跨ぐ補助ができるようになっている。浴槽１８側の壁パネル１１ｃには、浴槽１８よりも上部の位置に窓枠７０を取り付けるための窓開口７１が形成されている。壁パネル１１ａに対向する壁パネル１１ｂには、図番号を略す浴室蛇口、シャワーヘッド、ミラー等が取り付けられている。
【００３０】
以上の構成の浴室ユニット１０は、浴室用の建物ユニット２０内に組み付けられている。建物ユニット２０は、四隅に柱２１が配され、各柱２１の上端部及び下端部がそれぞれ４本の天井大梁２２、床大梁２３で連結されている。また、柱２１、天井大梁２２及び床大梁２３により直方体状の骨格（フレーム）を形成しており、隣り合う柱２１の間に各種壁材が組み付けられている。本実施形態では浴室１０ａを囲う四方の壁のうち、浴室１０ａと脱衣所１０ｂの間に間仕切壁２４が配設され、その他の位置には外壁２５が配設されている。
【００３１】
間仕切壁２４において、壁パネル１１ａの開口部１９に対応する位置には出入口１４が設けられている。浴室ドア１６が開状態の際、開口部１９と出入口１４とが連通されて、浴室１０ａと脱衣所１０ｂとの間での出入りが可能となる。
【００３２】
ところで、浴室１０ａと建物ユニット２０とで仕様（サイズ）の違いが生じることや、建物ユニット２０内での浴室１０ａの配置位置が異なることで、建物ユニット２０の壁と、当該壁に隣接する壁パネル１１との間には隙間（空間）が生じる。その為、壁パネル１１ａと間仕切壁２４との間に生じる隙間を目隠しするために、出入口１４には額縁４０が配設されている。
【００３３】
図４に脱衣所１０ｂ側から出入口１４の周辺を見た図を示す。図示されるように、額縁４０は、出入口１４においてドア枠１５（浴室ドア１６）よりも脱衣所１０ｂ側に設けられた上額縁部４０ａと縦額縁部４０ｂ，４０ｃとを有している。額縁４０のうち、上額縁部４０ａが出入口１４の上縁部に沿って配設され、左右一対の縦額縁部４０ｂ，４０ｃがそれぞれ出入口１４の側縁部に沿って配設されている。これにより出入口１４周辺の意匠性が高められている。
【００３４】
上額縁部４０ａ及び縦額縁部４０ｂ，４０ｃは、それぞれ板面が出入口側の内側に向くように配置された板材よりなる。縦額縁部４０ｂ，４０ｃは、樹脂材料により上下に延びる長尺状に形成されており、上下に延びる開口フレーム材の側面（出入口１４側の面）に重ねて設けられて、ビス等で固定されている。なお、各縦額縁部４０ｂ，４０ｃはそれぞれ左右対称の形状で同じ幅となっている。
【００３５】
上額縁部４０ａは、縦額縁部４０ｂ，４０ｃと同じ樹脂材料で長尺状に形成されており、左右に延びる開口フレーム材（出入口１４側の面）に重ねて固定されている。これにより額縁４０により、壁パネル１１ａと間仕切壁２４との間の隙間が覆われている。
【００３６】
ところで本発明者等は、浴室１０ａと建物ユニット２０との間に形成される隙間を利用して、浴槽蓋３０を収容する収容構造を形成する知見を得た。浴室１０ａと建物ユニット２０との間の隙間を利用して浴槽蓋３０を収容する場合、浴槽蓋３０を浴室１０ａの外側に収容することができ、浴槽蓋３０に汚れが付着することが防止され、浴槽蓋３０を清潔に保つことができるようになる。また浴室１０ａ内における浴槽蓋３０の収容スペースが不要となるため、近年要望のあるバリアフリー対応の仕様、例えば、手摺等の設置を実現することができる。
【００３７】
以下、本実施形態の浴槽蓋の収容構造について説明する。浴槽蓋３０は、例えば樹脂材等で同一の板厚に形成された一対の板状の蓋体３０ａ，３０ｂであり、その分割面を合わせて横並びにした際の形状が、浴槽１８の上側のフランジ１８ａの内側の略長方形状の形状と同じ形状となっている（図１参照）。
【００３８】
図５は浴槽蓋の収容構造の斜視図であり、図１において矢印Ａ方向から見た図を示している。壁パネル１１ａと間仕切壁２４との間の隙間（空間）には収容ユニット５０が配設されている。収容ユニット５０は、扁平形状の筐体である収容ケース５１を備え、収容ケース５１の内側には浴槽蓋３０を収容可能な空間が形成されている。具体的には、浴槽蓋３０の蓋体３０ａ，３０ｂの分割面を折り返して重ね合わせ、その分割面が下側面となるようにした状態で、浴槽蓋３０の出し入れが可能な空間が収容ケース内に形成されている。
【００３９】
収容ケース５１における各蓋体３０ａ，３０ｂが出し入れされる側の面は開口となっており、開口が形成された側の面が縦額縁部４０ｂ側となるように、収容ケース５１の側面の一方が壁体内で支持されている。ここでは、間仕切壁２４側の側面が固定されている。
【００４０】
一方、本実施形態の縦額縁部４０ｂには、収容ケース５１の開口に通じる位置に開口部（以下、入口部４５と記す）が形成されており、入口部４５を介して収容ケース５１内への浴槽蓋３０の出し入れが可能となっている。
【００４１】
収容ケース５１の内側には、ローラ部５４と、水受けトレイ５５と、空気循環部材としてのファン５６とが配設されている。ローラ部５４は収容ケース５１内に浴槽蓋３０が収容された際に、その下側面に接触する位置に設けられている。ローラ部５４は浴槽蓋３０の移動方向、すなわち浴槽蓋３０の収容及び取り出し方向に回転する回転軸を有するとともに、収容ケース５１の奥行方向に所定間隔を開けて並べられた複数個のローラ５４ａを備えている。浴槽蓋３０の出し入れの際、浴槽蓋３０の下側面がローラ部５４の各ローラ５４ａに接触された状態となることで、浴槽蓋３０の移動に伴う摩擦が低減され、ユーザによる浴槽蓋３０の収容と取り出し作業にかかる負荷を軽減できる。また所定の間隔をあけて配置されたローラ５４ａ上に浴槽蓋３０が載置される構成であるため、ローラ５４ａの間の隙間から浴槽蓋３０の水滴が落ち、浴槽蓋３０が乾燥しやすい構成となっている。
【００４２】
水受けトレイ５５は、ローラ部５４の下側に設置されている。浴槽蓋３０から落ちた水滴は水受けトレイ５５で捉えられることで、間仕切壁２４と壁パネル１１との間に水滴が落下することが抑えられる。なお水受けトレイ５５は引出式となっており、入口部４５の下側から取り外して清掃することができる。
【００４３】
ファン５６は、収容ケース５１の側面に設けられている。ここでは壁パネル１１ａ側に設けられている。収容ケース５１に浴槽蓋３０が収容された状態で、ファン５６が回転されることで、収容ケース５１内の空気の循環が促進され、収容ユニット５０内の乾燥状態を保つことができる。なお空気循環部材としてはファン以外にも、２４時間換気システム等で循環される空気を導入するダクト等が設けられてもよい。
【００４４】
入口部４５における上側には通気部としてガラリ５３が取り付けられている。また水受けトレイ５５とガラリ５３との間であって、収容ケース５１内の浴槽蓋３０の収容位置に対応する範囲には、開閉部材としての開閉扉５７が取り付けられている。例えば開閉扉５７は、縦額縁部４０ｂの入口部４５の端部にヒンジ等を介して開閉可能に取り付けられる。入口部４５に開閉扉５７を設ける場合、浴槽蓋３０の出し入れ作業がされる以外の場合には、開閉扉５７を閉じて入口部４５を塞いだ状態とすることができ、外観の見栄えを向上できる。またガラリ５３が設けられることで、開閉扉５７が閉じた状態でも外部からの空気を収容ケース５１内に取り込むことができる。なお通気部としては多数の孔が形成された有孔ボード等を使用することもできる。また通気部は、開閉扉５７の上部に形成した開口であってもよい。
【００４５】
以上の構成により、浴槽１８に給湯する場合、浴槽１８内の湯水の温度低下を防止するために、浴槽１８のフランジ１８ａ上に浴槽蓋３０が並べて置かれる。一方、入浴時には、浴槽蓋３０は浴槽１８上から取り外される。この際、ユーザは浴室ドア１６を開き、縦額縁部４０ｂに取り付けられた開閉扉５７を開き、現れた入口部４５から、２枚の蓋体３０ａ，３０ｂをその分割面を下側として厚さ方向に重ね合わせた状態で押し入れる。この際、収容ユニット５０の分割面側（下面側）にローラ５４ａが接触された状態で、ユーザは浴槽蓋３０を収容ユニット５０内へと押し入れる。
【００４６】
浴槽蓋３０を収容ケース５１内に収容したら開閉扉５７を閉じる。これにより図６に示されるように、収容ケース５１内への浴槽蓋３０の収容が完了する。そして入浴時、浴槽１８の上側に設けられた手摺６０によって、ユーザの入浴動作が補助される。
【００４７】
以上、詳述した本実施形態の構成によれば、以下の優れた効果が得られる。
【００４８】
・浴槽蓋３０を、額縁４０に形成した開口である入口部４５を介して、間仕切壁２４と壁パネル１１ａの間の隙間に設けた収容ユニット５０（収容ケース５１）に収容できるようにしたことで、浴室１０ａの使用時に、浴槽蓋３０への石鹸等の汚れの付着を回避できる。また、多湿環境である浴室１０ａとは異なる空間に浴槽蓋３０が収容されるため、浴槽蓋３０の乾燥が促され、湿気に伴うカビ等の発生等を抑えることができる。
【００４９】
・浴室１０ａの出入口１４を形成する額縁４０（縦額縁部４０ｂ）に、入口部４５を形成することで、浴室１０ａの使用時、ユーザは容易に浴槽蓋３０を浴室外に収容できる。
【００５０】
・額縁４０（縦額縁部４０ｂ）に入口部４５を開閉するための開閉扉５７を設ける場合、浴槽蓋３０を出し入れする以外は、開閉扉５７を閉じた状態とすることで、入口部４５を隠すことができ、浴槽蓋３０の出し入れ作業をしない場合の見栄えを向上できる。
【００５１】
・入口部４５の開閉扉５７の上側の位置にガラリ５３等の通気部を設けることで、開閉扉５７を閉じた状態でも収容ユニット５０内に収容された浴槽蓋３０を乾燥状態とすることができる。
【００５２】
・間仕切壁２４と壁パネル１１ａの間の隙間（デッドスペース）をうまく使って収容ユニット５０を設けることができる。特に、ユニット式の浴室設備（浴室ユニット）を用いる構成では、建物側の納まりとの関係上、浴室設備の外側に隙間が生じやすいが、この隙間を好適に利用できる。また隙間（デッドスペース）に収容ケース５１を設け、収容ケース５１内に浴槽蓋３０を収容する場合、壁板部内を汚すことなく浴室外に浴槽蓋３０を収容できる。
【００５３】
・収容ケース５１内部に浴槽蓋３０の移動方向に回転するローラ５４ａを有するローラ部５４を設けることで、浴槽蓋３０の出し入れ作業に伴う負荷を軽減できる。
【００５４】
・浴槽蓋３０が置かれるローラ部５４の下側に水受けトレイ５５を設けることで、浴槽蓋３０から落下する水滴を水受けトレイ５５で受け止めることができ、壁部の内側、例えば収容ケース５１に水滴が落ちることを防止できる。また壁部内の底部に直接水滴が落下することを防止できる。
【００５５】
・収容ケース５１にファン５６等の空気循環部材を設けることで、収容ケース５１内の換気が促されて、収容ケース５１内に収容された浴槽蓋３０の乾燥を維持することができる。
【００５６】
・収容ケース５１を各壁板部の間から取り外し可能とすることで、収容ケース５１を浴室内に持ち運び込むことが可能となり、浴槽蓋３０の設置及び収容の作業をよりしやすくできる。
【００５７】
〔他の実施形態〕
本発明は、上記実施形態の記載内容に限定されず、次のように実施されてもよい。
【００５８】
・上記では、浴室１０ａへの出入口１４の額縁４０に浴槽蓋の収容構造を形成する例を示した。これ以外にも、浴室１０ａに形成した各開口の位置に設けられる各額縁を利用して、浴槽蓋の収容構造を形成することができる。例えば図２において、浴室１０ａの窓開口７１に設けた窓枠７０に、上述のような入口部を形成するとともに、入口部の内側の壁部内（壁パネル１１と外壁２５との間）に収容ケース５１を設けるようにしてもよい。
【００５９】
・収容ケース５１内に、浴槽蓋３０が収容されたことを検出する検出部を設け、検出部の検出結果に基づきファン５６の回転が制御されるようにしてもよい。なお検出部には、スイッチなどの機械式（接触式）のものや、赤外線センサ等の非接触式のもの等を使用できる。この際、更にタイマーを設けることによって、浴槽蓋３０が収容されてからのファン５６の駆動時間が制御されてもよい。
【００６０】
・ローラ部５４は、収容ケース５１内に引き出し可能に設けられていてもよい。例えば、図７の変用例の概略図に示すように、収容ケース５１内に図示を略すレール部等を設け、レール部等を介して、ローラ部５４を入口部４５から引き出し可能に構成する。この場合、浴槽蓋３０を出し入れする際、収容ケース５１内からローラ部５４を引き出した状態で、ローラ部５４上に浴槽蓋３０を載せたり、ローラ部５４上から浴槽蓋３０を取り外したりできるため、重量のある浴槽蓋３０の収容ケース５１内への出し入れにかかるユーザの負荷を軽減できる。
【００６１】
・図８の変用例の概略構成図に示されるように、壁面に固定された収容ケース５１内に、収容ケース５１に対して取り外し可能な筐体５１ａを設けてもよい。例えば筐体５１ａの下側面に床面上で転がる車輪５８を設ける。この場合、入口部４５から筐体５１ａを取り出して、浴室１０ａ内に持ち運んだ状態で、浴槽蓋３０の出し入れの作業を行うことができるようになる。この場合、重量のある浴槽蓋３０の持ち運びにかかる距離を短くすることができ、ユーザの負荷を軽減できる。なお収容ケース５１を壁面に固定せず、収容ケース５１の下側面に車輪を取り付けることで、入口部４５から取り出せるようにしてもよい。
【００６２】
・上記では、壁部材間に配設した収容ケース５１内に浴槽蓋３０を収容する構成を示したが、収容ケース５１の構成は省略されてもよい。すなわち浴槽蓋３０が入口部４５を介して、直接各壁部材間に収容される構成としてもよい。この場合、浴槽蓋３０に付着した水が各壁部材の内側に付着することを避けるために、壁部材において、少なくとも浴槽蓋３０が収容される範囲に防水加工が施されるようにしてもよい。
【００６３】
・上記では、工場で予め浴室１０ａが形成される浴室ユニット１０を、工場で予め形成される建物ユニット２０に組み付ける場合を例に挙げて説明したが、浴室ユニット１０を施工現場で組み付ける場合にも適用できる。また浴室設備は浴室ユニット１０に限られるものではなく、在来工法の場合にも適用できる。この場合には、浴室１０ａと建物の壁材との間に空間を形成し、その空間に浴槽蓋の収容構造を設けることができる。
【００６４】
・収容ケース５１は、浴室１０ａ及び脱衣所１０ｂの床面付近に設けられることが好ましい。収容ケース５１を床面付近に設ける場合、ユーザによる浴槽蓋３０の出し入れをしやすくできる。また床面付近の目立たない位置に浴槽蓋３０を収容することができる。
【００６５】
・上記では収容ケース５１を壁面に固定する例を示したが、収容ケース５１は壁面から取り外し可能であってもよい。例えばフック等を用いて収容ケース５１を壁面に対して取り外し可能に保持する。この場合、収容ケース５１を洗浄する等、メンテナンスが必要な場合に、収容ケース５１を壁面から取り外して、容易に入口部４５の外側に持ち出すことができる。
【符号の説明】
【００６６】
１１…壁パネル、１４…出入口、１８…浴槽、２４…間仕切壁、３０…浴槽蓋、４０…額縁、４５…入口部、５０…収容ユニット、５１…収容ケース。
【図１】
2015131007.tif 000003
【図２】
2015131007.tif 000004
【図３】
2015131007.tif 000005
【図４】
2015131007.tif 000006
【図５】
2015131007.tif 000007
【図６】
2015131007.tif 000008
【図７】
2015131007.tif 000009
【図８】
2015131007.tif 000010